(57)【特許請求の範囲】
【請求項１】
複数個のバレルを備え、多数の弾丸を同時に発射するために、各バレルに複数個の弾丸を装填可能にした複数弾発射用カートリッジであって、
複数個のバレルを装備したカートリッジ本体と、上記バレルの後端に位置する複数個の装弾室を有する弾丸保持部分と、上記弾丸保持部分を囲んで取り付けられる後部カバーとを具備し、さらに、上記後部カバーの中央部には、カートリッジ本体を模擬銃本体に装着する際にそのガス噴出口に接続され、かつ、上記複数個の装弾室に通じるガス流の導入口が形成されており、
弾丸保持部分は、装弾室に囲まれた中央部に、後方へ向けて突出した整流突部を有しており、上記整流突部は、後部カバーに形成されたガス流導入口と対向している
複数弾発射用カートリッジ。
【請求項２】
カートリッジ本体は、その前部に位置する前側部分と、後部に位置する後側部分を有し、前側部分と後側部分にバレルの前後両端部が保持され、かつ、後部カバーはカートリッジ本体後部に嵌合されている
請求項１記載の複数弾発射用カートリッジ。
【請求項３】
複数個のバレルを備え、多数の弾丸を同時に発射するために、各バレルに複数個の弾丸を装填可能にした複数弾発射用カートリッジを用いて、多数の弾丸を同時に発射するためのガス噴射装置を内蔵した複数弾発射用模擬銃であって、
多数の弾丸の発射に使用されるガスを貯留可能なガス源を具備した模擬銃本体と、
複数弾発射用カートリッジを装着するために、上記模擬銃本体に設けたカートリッジ装着部と、
上記カートリッジ装着部に配置され、上記カートリッジの後部カバーに形成されているガス流の導入口に接続される、ガス流路の噴出口及び
ガス源から噴出口に至るガス流路の開閉のため模擬銃本体に設けた発射機構
を有する複数弾発射用模擬銃。
【請求項４】
カートリッジ装着部は、模擬銃本体の内部に設けた内筒の後半部分に設定され、その前方には、カートリッジ側のバレルと接続される模擬銃側バレルが配置され、模擬銃側バレルとカートリッジ側のバレルとは付勢手段によって付勢されることで、上記接続部に対して圧力が加わるように構成されている
請求項３記載の複数弾発射用模擬銃。
【発明の詳細な説明】
【技術分野】
【０００１】
本発明は、複数個のバレルを備え、多数の弾丸を同時に発射するために、各バレルに複数個の弾丸を装填可能にした複数弾発射用カートリッジ及びそのカートリッジを用いる複数弾発射用模擬銃に関するものである。
【背景技術】
【０００２】
複数個の弾丸を同時に発射する装置には、例えば、特開平１１−９４４９５号（特許第３０４５９８４号）の発明がある。同号の発明は、複数個の銃身を有する銃に弾丸を装填する装弾装置を開示しており、弾丸は各銃身に通じる装弾室前室から各銃身に１発ずつ自動的に装填される。上記構成の銃では、銃身の個数と同じ数の弾丸を装填し発射することができるが、装填する弾丸の個数を、銃身の個数よりも増加することはできない。
【０００３】
より多数の弾丸を発射するものには、例えば、複数弾丸発射装置という特開２００４−３２４９６２号（特許第３９６２３５２号）の発明がある。その発明は円筒形の弾頭が、６つの装弾室と中央の大きなガス充填筒部とに分離されていて、周囲の各装弾室にそれぞれ４個のプラスチック弾丸が装填されるので、あたかも散弾銃のように、２４発の弾丸を同時に発射することが可能とされている。
【０００４】
しかし、上記発明において、多数の弾丸は、中央のガス充填筒部に充填されているガスによって発射される構造である。つまり、ガスタンク一体型の弾丸発射装置であるため、銃本体にガスタンクを装備するものと比較してガス充填量が制限される。しかも、多数の弾丸の発射時には、ガス充填筒部内の大量のガスが一瞬で全開にされたガス通路から噴出してしまう方式である。そのために、発射の都度ガスを充填する必要があり、操作性が良くないという問題も懸念される。また、上記弾丸発射装置の発明には、第１、第２可動部とから成るシリンダー等から成る発射機構も組み込まれており、装置構成が複雑化し、製造コストも高価とならざるを得ない。
【０００５】
【特許文献１】特開平１１−９４４９５号
【特許文献２】特開２００４−３２４９６２号
【発明の開示】
【発明が解決しようとする課題】
【０００６】
本発明は前記の点に着目してなされたもので、その課題は、多数の弾丸を同時に発射するために、複数個のバレルを備え、各バレルに複数個の弾丸を装填可能にするとともに、外部のガス源から供給されるガスによって多数の弾丸を発射可能とした複数弾発射用カートリッジを提供することである。また、本発明の他の課題は、上記のカートリッジを用いる複数弾発射用模擬銃を提供することである。
【課題を解決するための手段】
【０００７】
前記の課題を解決するため、本発明は、複数個のバレルを備え、多数の弾丸を同時に発射するために、各バレルに複数個の弾丸を装填可能にした複数弾発射用カートリッジについて、複数個のバレルを装備したカートリッジ本体と、上記バレルの後端に位置する複数個の装弾室を有する弾丸保持部分と、上記弾丸保持部分を囲んで取り付けられる後部カバーとを具備し、さらに、上記後部カバーの中央部には、カートリッジ本体を装着する模擬銃本体のガス噴出口に接続され、かつ、上記複数個の装弾室に通じるガス流の導入口が形成されており、弾丸保持部分は、装弾室に囲まれた中央部に、後方へ向けて突出した整流突部を有しており、上記整流突部は、後部カバーに形成されたガス流導入口と対向しているものとするという手段を講じたものである。
【０００８】
本発明の複数弾発射用カートリッジは、多数の弾丸を同時に発射することができ、しかも、カートリッジ外部のガス源から供給されるガスによって多数の弾丸を発射可能としたことを特徴とする。そのために、カートリッジ本体と、弾丸保持部分と、後部カバーとを具備し、かつ、後部カバーの中央部には複数個の装弾室に通じるガス流の導入口が形成されている。
【０００９】
上記弾丸保持部分は、装弾室に囲まれた中央部に、後方へ向けて突出した整流突部を有しており、上記整流突部は後部カバーに形成されたガス流導入口と対向している。故に、ガス流導入口から噴射されたガスは整流突部に沿って整流され、その下流に、かつ、同心円上に配置される複数個のバレルに向けて均等に流入する。
【００１０】
上記カートリッジ本体は、その前部に位置する前側部分と、後部に位置する後側部分を有し、前側部分と後側部分にバレルの前後両端部が保持され、かつ、後部カバーはカートリッジ本体後部に取り付けられているという構成を取ることができる。カートリッジ本体に対して後部カバーを取り付けることで、後部カバーにガス流導入口を形成し、カートリッジ内部にガスを導入するために、合理的な構成が可能になる。
【００１１】
本発明は、また、複数個のバレルを備え、多数の弾丸を同時に発射するために、各バレルに複数個の弾丸を装填可能にした複数弾発射用カートリッジを用いて、多数の弾丸を同時に発射するためのガス噴射装置を内蔵した複数弾発射用模擬銃を提供するものである。即ち、複数弾発射用模擬銃は、前記カートリッジを使用して、多数の弾丸を発射するための手段である。
【００１２】
そのために、本発明の複数弾発射用模擬銃は、多数の弾丸の発射に使用されるガスを貯留可能なガス源を具備した模擬銃本体と、複数弾発射用カートリッジを装着するために、上記模擬銃に設けたカートリッジ装着部と、上記カートリッジ装着部に配置され、上記カートリッジの後部カバーに形成されているガス流の導入口に接続される、ガス流路の噴出口及びガス源から噴出口に至るガス流路を開閉するために、ガス流路に設けた発射機構を具備している。上記ガス源には、多数の弾丸を繰り返して発射するために必要十分な量のガスが貯留されるが、その構造はガス注入式又は交換式タンクのどちらでも可能とする。
【００１３】
カートリッジ装着部は、模擬銃の内部に設けた内筒の後半部分に設定され、その前方には、カートリッジ側のバレルと接続される模擬銃側バレルが配置され、模擬銃側バレルとカートリッジ側のバレルとは付勢手段によって付勢されることで、上記接続部に対して圧力が加わるように構成されている。接続部を加圧することで、ガスの漏洩防止がより有効となる。上記のカートリッジ装着部にカートリッジの装着方式は、任意に選択できる事項であり、例えば、模擬銃側バレル部を前後にスライドさせる方式、模擬銃側バレル部を後端が露出するように横に開く方式、模擬銃側バレル部を折り曲げるように操作して後端を露出させる方式等があり、いずれも採用可能である。
【発明の効果】
【００１４】
本発明は以上のように構成されかつ作用するものであるから、多数の弾丸を同時に発射するために、複数個のバレルに夫々複数個の弾丸を装填可能にするとともに、外部のガス源から供給されるガスによって多数の弾丸を発射可能とした複数弾発射用カートリッジを提供することができるという効果を奏する。また、本発明によれば、上記のカートリッジを用いるために、必要十分な量のガスを貯留可能なガス源を具備する複数弾発射用模擬銃を提供することができる。このようにして課題が達成されることにより、必要十分な構成要素のみを備えた、安価なカートリッジが実現可能になり、かつまた、複数弾発射用模擬銃によりガス源を装備することで、多量の弾丸を発射するために必要なガスを提供することができるようになる。
【発明を実施するための最良の形態】
【００１５】
以下、実施形態により図面を参照しながら本発明を詳細に説明する。図１は本発明に係る複数弾発射用カートリッジ１０の一例を示しており、このカートリッジ１０は、複数個のバレル１５を装備したカートリッジ本体１１と、上記バレル１５の後端に接続される複数個の装弾室１２を有する弾丸保持部分１３と、上記弾丸保持部分１３を囲んで取り付けられる後部カバー１４とを具備している。
【００１６】
カートリッジ本体１１は、その前部に位置し、前半部が半球状に形成されている前側部分１６と、後部に位置する後側部分１７を有し、それらによりにバレル１５の前後両端部が保持される構成になっている。上記前側部分１６と後側部分１７には、同心円上にて等間隔に配置した６箇所のバレル嵌合部１６ａ、１７ａが形成され、中間部分１８にもバレル通し孔１８ａが同様に形成されており、バレルを正確に保持している（図２参照）。バレル嵌合部１６ａ、１７ａは段状の貫通孔である。各図において、１９は発射側の開口であり、各バレル１５の前方に位置する上記前側部分１６に複数箇所（図示の例では、６箇所）形成されている。なお、発射側開口１９は、後述する模擬銃３０への接続のための接続口となる。
【００１７】
弾丸保持部分１３は、上記バレル嵌合部１７ａの直後に配置され、弾丸Ｂを複数個装填可能であり、かつ、発射時まで保持しておく部分である。このため、装弾室１２には、弾丸Ｂの漏出を防止する手段２０ａ、２０ｂが前後に設けられている。前部の漏出防止手段２０ａはパッキングの如く弾性変形可能な部材からなり、後部の漏出防止手段２０ｂとしては突起、或いは段部等の公知の弾止め手段から選択して形成することができる。また、弾丸保持部材１３の前面中心部には、カートリッジ本体１１と後部カバー１３と一体的に組み立てるための結合手段として、前側部分材１６の前端から挿入してカートリッジ本体１１の中心部を貫通するボルト１１ａと、ねじ込み相手となるメネジ部１３ａが設けられている。
【００１８】
上記弾丸保持部分１３はほぼ円筒状の外形を有する部材であり、同心円上の位置に装弾室１２がバレル１５と同数箇所、等間隔に配置されている。弾丸保持部分１３は、装弾室１２に囲まれた中心部に、後方へ向けて突出した整流突部２１を有しており、上記整流突部２１は、後部カバー１４に形成されたガス流導入口２２と対向している（図３参照）。上記整流突部２１はガス流の整流のために半球形状ないしは円錐形状に形成されている。また、これを中心として半径方向外方の前方に配置されている、前述の装弾室１２へガス流を導くために、ガス流導入口２２の内部の空間に放射方向の整流壁２３を、バレル１５と同数箇所設けて区画し、ガス流の分流路２４を形成している（図４参照）。
【００１９】
また、後部カバー１４はカートリッジ本体後部に嵌合される。本発明では、後部カバー１４は後方を底部とする円筒形状に形成され、前端部にて、同様にほぼ円筒形状に形成されている中間部分１８の後端部に嵌合している。弾丸の装填については、前部の発射側開口１９からバレル１５を通過して装弾室１２に装填する。即ち、弾丸装填時、弾丸Ｂはバレル１５より、弾性変形可能な前部漏出防止手段２０ａを押し広げて通過し、装弾室１２に押し込まれ、後部漏出防止手段２０ｂに受け止められた状態となり、弾丸発射まで漏出が防止された状態に保持される。
【００２０】
本発明の複数弾発射用カートリッジ１０は、上記のような構成を有しており、カートリッジとして必要十分な要素のみで構成されている。従って、弾丸Ｂを装填するという目的と効果が確実に達成され、その故に、安価なカートリッジを提供することが可能になる。特に、本発明のカートリッジ１０は、複数個の装弾室１２へ通じるガス流の導入手段として、上述した整流機構を具備しており、多数の弾丸Ｂに対して所望流量のガスを供給することができる。
【００２１】
さらに、本発明のカートリッジ１０を使用する複数弾発射用模擬銃３０について説明する。図５はその例示であり、いわゆるグレネードランチャーに属するタイプの銃を模した外観を有している。３１は多数の弾丸の発射に使用される模擬銃本体で、ガス源３２と、カートリッジ装着部３３、ガス噴射装置３４及び発射機構３５を具備している。この模擬銃本体３１は、前述の複数弾発射用カートリッジ１０を用いて、多数の弾丸Ｂを同時に発射するために必要な全ての機構を備えている。上記ガス源３２はグリップ部内に設けられており、図示のガス源３２にはガス注入口４９からガスを注入し、必要十分な量のガスを貯留可能である。
【００２２】
図示のカートリッジ装着部３３は、模擬銃本体３１の内部に設けた内筒３６の内部に設けられている。内筒３６は円筒状でその後半部分にカートリッジ装着部３３が設定されており、その前方には、カートリッジ側のバレル１５と、発射側開口１９の部分にて接続される模擬銃側バレル３７が配置されている。模擬銃側バレル３７は、カートリッジ側のバレル１５と同数個を同位置に配置したもので、模擬銃側バレル３７は、個別に又は全体を一体として付勢手段３８のバネによって後方へ付勢され、カートリッジ１０との上記接続部に対して圧力が加わる作用を受ける。内筒３６の後端３６ａは係合部になっており、カートリッジ１０の後端のフランジ１４ａと係合する。
【００２３】
図５以下の例は、模擬銃側バレル部を前後にスライドさせる方式である。スライド機構の詳細は図示していないが、模擬銃本体３１の一部に開口部３１ａを設け、内筒３６を前進させて、ガス噴射装置３４との間にスペースを設けた状態で、上記開口部３１ａからカートリッジ装着部３３に、その後方よりカートリッジ１０を挿入するものである。カートリッジ１０を装着後、内筒３６を後退させて、カートリッジ１０を接続部２２ａにて後述するガス噴射口３９に圧接した状態に保持する。なお、模擬銃側バレル３７を設けない方式の複数弾発射用模擬銃３０もあり得る。この場合には、模擬銃本体３１に装着したカートリッジ１０のバレル１５から、弾丸Ｂを直接発射することになる。
【００２４】
上記ガス噴射装置３４は内筒３６の後部に位置しており、ガス噴射口３９は、円筒型の内筒３６の軸芯と一致し、かつ、その先端は、カートリッジ１０の装着時にそのガス流導入口２２と、接続部２２ａにて、気密に接触した状態とされる。ガス噴射口３９の上流には、ガス源３２から供給されるガスの開閉弁４０が設けてあり、上記開閉弁４０は弾性体４１であるバネによって弁座４２に接触し、閉弁状態とされる。また、開閉弁４０は弁ケース４３から突出する先端部が、後述の発射機構３５の作動により押し込まれることで開弁する。
【００２５】
上記発射機構３５は、開閉弁４０をトリガー操作で開弁するものであり、模擬銃本体３１に組み込まれているトリガー４４と、それにリンク結合されたトリガーリンク４５及びシア４６より成る部分と、シア４６の係合部４６ａと係合可能な係合相手部４７ａを有するハンマー４７及びハンマー４７の回転動作を前記の開閉弁先端部に伝達するノッカー４８を具備して構成されている。なお、トリガー４４とハンマー４７には、弾性体による戻し方向への付勢力が作用しているものとする。
【００２６】
このように構成されている本発明の複数弾発射用模擬銃３０は、カートリッジ１０に弾丸Ｂを全て装填し、そのカートリッジ１０をカートリッジ装着部３３に接続することで発射準備完了の状態となる（図６）。この状態でトリガー４４を操作すると、発射機構３５における各部の連動によってハンマー４７が一旦後退する（図７）。トリガー４４を最後まで引くと、ハンマー４７の連結が解除されて原位置に戻る方向へ回転し、それによってノッカー４８が打撃される。ノッカー４８は開閉弁４０を弾性体４１に抗して押し込み、それによりガスがガス噴射口３９から噴射され、カートリッジ１０のガス流導入口２２に流入する。
【００２７】
ガスは、カートリッジ内に流入すると整流壁２３にて均等に分けられるとともに、ガス流分流路２４から全てのバレル１５に同時に流入し、これにより弾丸Ｂは装弾室１２を脱して移動を開始する（図８）。かくして、弾丸Ｂはガスの放出と共に、模擬銃側バレル３７から全弾が発射される（図９）。その後、弾性体４１の反力により開閉弁４０は閉弁位置に戻り、一連の発射動作が完了する。
【００２８】
本発明のカートリッジ１０は、それを複数弾発射用模擬銃３０に装填して使用するものであり、ガス源３２を有する模擬銃本体３１とは分離されている。そのため、カートリッジ本体１１には、弾丸Ｂの装填に関する機構と、装弾室１２へガスを正確に誘導する機構が必要とされる。一方、ガス源３２は模擬銃本体３１に設けられるので、必要な容量のガス蓄圧容積を確保することができ、多数の弾丸Ｂの発射により多量のガスを消費するとしても、その消費量に十分に対応することができる。なお、本発明ではガスとのみ記載しているが、ガスに代えて圧縮空気を使用することも可能である。また、ＢＢ弾を使用する模擬銃では、弾丸の弾道を修正し、飛距離を伸ばすこと等を目的としてＢＢ弾に回転を付与する、いわゆるホップアップと呼ばれる技術が適用されるケースがある。本発明においてもこの技術を適用することができるが、その場合には複数弾発射用模擬銃３０のランチャー側バレル３７の側にホップアップ機構を設けるものとする。
【００２９】
本発明の複数弾発射用模擬銃は、それ自体単独の模擬銃として所持して使用することができるのは勿論であり、それのみならず、他の銃に装着して使用することも可能である。例えば、コルト社製カービン銃のＭ４はグレネードランチャーを装着する機能を持っているので、それをモデルに複数弾発射用模擬銃を装着可能なＭ４型模擬銃を製作し、これに本発明のカートリッジ１０を装着して使用し得るが、これはＭ４に限らないことである。また、本発明のカートリッジ１０は、それ自体カートリッジとして独立しているので、ガスの供給を受けることができるガス流導入口２２を有している模擬銃を製作し、それにカートリッジ１０を装着するように構成したものも、本発明の複数弾発射用模擬銃を構成する。
【図面の簡単な説明】
【００３０】
【図１】本発明に係る複数弾発射用カートリッジの一例を示す前方からの斜視図である。
【図２】同上の複数弾発射用カートリッジの部分断面側面図である。
【図３】同じく縦断面を示す後方からの斜視図である。
【図４】同様に複数弾発射用カートリッジを示すもので、Ａは正面図、Ｂは背面図である。
【図５】本発明に係る複数弾発射用模擬銃の一例を示す側面断面図である。
【図６】同上の作用を示すもので発射準備完了状態を示す説明図である。
【図７】同じくトリガーを引いた状態を示す説明図である。
【図８】同じくガスが噴射された状態を示す説明図である。
【図９】同じく弾丸が発射された状態を示す説明図である。
【符号の説明】
【００３１】
１０  複数弾発射用カートリッジ
１１  カートリッジ本体
１２  装弾室
１３  弾丸保持部分
１４  後部カバー
１５  カートリッジ側のバレル
１６  前側部分
１７  後則部分
１８  中間部分
１９  発射側開口
２０ａ  前部漏出防止手段、２０ｂ  後部漏出防止手段
２１  整流突部
２２  ガス流導入口
２３  整流壁
２４  ガス流分流路
３０  複数弾発射用模擬銃
３１  模擬銃本体
３２  ガス源
３３  カートリッジ装着部
３４  ガス噴射装置
３５  発射機構
３６  内筒
３７  模擬銃側バレル
３８  付勢手段
３９  ガス噴射口
４０  開閉弁
４２  弁座
４４  トリガー
４５  ノッカー
４６  シア
４７  ハンマー
４９  ガス注入口
【図１】
0005674626.tif 000002
【図２】
0005674626.tif 000003
【図３】
0005674626.tif 000004
【図４】
0005674626.tif 000005
【図５】
0005674626.tif 000006
【図６】
0005674626.tif 000007
【図７】
0005674626.tif 000008
【図８】
0005674626.tif 000009
【図９】
0005674626.tif 000010